(57)【特許請求の範囲】
【請求項１】
固定体に固定される一対の取付座と、
上記各取付座にそれぞれ脚部にて回動可能に軸支された長尺状のグリップ本体と、
上記グリップ本体を使用位置から格納位置に回動させる付勢手段とを備えた格納式アシストグリップにおいて、
上記グリップ本体が格納位置にあるときに上記脚部の上記固定体に対向する面には、該グリップ本体の長さ方向に対向する２つの側壁を有しかつ該グリップ本体が格納位置にあるときに上記取付座の一部を収容する収容部が切り欠いて形成され、
上記一対の取付座のうちの少なくとも一方には、グリップ本体の長さ方向に延びる有底円形状の凹部を有する支持部が一体に形成されていて、該支持部の凹部は、上記収容部の２つの側壁のうちの一方の側壁側に解放され、他方の側壁側が底部とされるとともに、上記凹部の底面から開口側に向かって延びる円柱状の嵌入軸が設けられ、
上記凹部には、上記嵌入軸が嵌入される有底の嵌入部を有するスペーサがその先端側から回動可能に挿入され、このスペーサの基端側がグリップ本体の脚部に回動不能に取り付けられており、
上記スペーサの外周面と上記凹部の内周面との間の隙間から、該スペーサの先端面と凹部の底面との間の隙間を介して該スペーサの嵌入部の内周面と上記嵌入軸の外周面との間の隙間に連続し、さらにその嵌入部の底面全面と嵌入軸の先端面全面との間の隙間まで連続する隙間に亘って、粘性剤が連続して充填され、
上記スペーサの先端面と凹部の底面との間の粘性剤の充填されている隙間が、該スペーサの嵌入部の底面と嵌入軸の先端面との間の粘性剤の充填されている隙間よりも大きく設定されていることを特徴とする格納式アシストグリップ。
【発明の詳細な説明】
【０００１】
【発明の属する技術分野】
本発明は、例えば車両等に装備されて、不使用時に使用位置から格納位置に回動して格納される格納式アシストグリップに関する。
【０００２】
【従来の技術】
従来より、この種のアシストグリップとして、使用位置及び格納位置の間で回動するグリップ本体と、このグリップ本体の脚部を軸支する支持部を有し、取付部材を介して車体に取り付けられる取付座とを備えたものは知られている。そして、例えば特開２００１−７１８０４号公報に開示されるもののように、グリップ本体の脚部と取付座の支持部との間に粘性剤を介在させて、グリップ本体が使用位置から格納位置に回動するときに所要の粘性抵抗を付与することにより、その回動速度を調節して、使用感を高めかつ耐久性を向上したものがある。
【０００３】
より具体的に、上記従来例のものでは、取付座の支持部においてグリップ本体の脚部を支える支軸の軸線と同心状に断面円形の凹部を設ける一方、この凹部を閉止する蓋部材（スペーサ）をグリップ本体の脚部に回動不能に取り付けるとともに、その蓋部材の裏側に上記凹部内に収容される円筒部を設けている。また、凹部の底面から開口部に向かって延びるように相対的に小径の円筒部を設けて、この小径円筒部が蓋部材の円筒部（以下、大径円筒部ともいう）の内部に収容されるようにする。そして、少なくとも上記凹部の内周面と蓋部材の大径円筒部の外周面との間の隙間や該大径円筒部の内周面と小径円筒部の外周面との間の隙間に介在するように、凹部内にシリコンオイル等の粘性剤を充填する。
【０００４】
上記の構成により、グリップ本体が回動するときには、その脚部と一体になって蓋部材が回動し、該蓋部材の大径円筒部が凹部内で内径円筒部の周りを回動することになり、この際、互いに同心状に位置する２つの円筒部同士や該円筒部と凹部との間で粘性剤に剪断力が発生することによって、グリップ本体の回動に粘性抵抗が付与される。つまり、グリップ本体の脚部と取付座の支持部との間に粘性剤を封入したダンパを一体的に設けることで、別途、専用のオイルダンパ等を追加することなく、比較的低コストで所要の使用感を得ることができる。
【０００５】
【発明が解決しようとする課題】
ところで、上記従来例の如きアシストグリップを組み立てるときには、まず、取付座の支持部に設けた凹部に蓋部材の大径円筒部を挿入して、この大径円筒部の内部に凹部内の小径円筒部を収容させるとともに、蓋部材により凹部の開口を閉塞する。そして、その後に上記取付座をグリップ本体の脚部に組み付けて、蓋部材を脚部に回動不能に固定する。その際、上記蓋部材の組み付け前に予め取付座の凹部内や蓋部材の大径円筒部等にそれぞれ所要量の粘性剤を塗布しておけば、取付座への蓋部材の組み付けと同時に粘性剤を凹部に封入して、蓋部材の円筒部と凹部の円筒部や内周面との間に粘性剤を介在させることができる。
【０００６】
しかし、上記のようにして取付座の凹部に蓋部材を組み付けるときには、その凹部内に空気が閉じこめられて、該凹部の内周面と蓋部材の大径円筒部の外周面との間や該大径円筒部の内周面と小径円筒部の外周面との間で粘性剤の中に気泡として混入する虞れがある。そうなると、その気泡の付近では粘性剤の剪断力が大幅に低下して、グリップ本体の回動時の粘性抵抗が不足し、このことで、アシストグリップの使用感が損なわれたり、その耐久性の低下を招くという不具合を生じる。
【０００７】
本発明は、斯かる点に鑑みてなされたものであり、その目的とするところは、上記の如くグリップ本体の脚部と取付座との間に一体的に設ける粘性ダンパの構造に工夫を凝らして、組み付け時にダンパ内に空気が残存し粘性剤不足となることを抑制し、もって空気残存に因る使用感の悪化等を防止することにある。
【０００８】
【課題を解決するための手段】
上記の目的を達成すべく、本願発明の解決手段では、格納式アシストグリップのグリップ本体と取付座との間に一体的に粘性ダンパを設ける場合に、該ダンパを構成する各部の寸法やそれらの相互の位置関係を最適に設定することで、組み付け時にダンパ内から空気を排出させて、ダンパ内に空気が残存することを防止するようにした。
【０００９】
具体的に、この発明では、固定体に固定される一対の取付座と、該各取付座にそれぞれ脚部にて回動可能に軸支された長尺状のグリップ本体と、該グリップ本体を使用位置から格納位置に回動させる付勢手段とを備えた格納式アシストグリップを対象として、上記グリップ本体が格納位置にあるときに上記脚部の上記固定体に対向する面には、該グリップ本体の長さ方向に対向する２つの側壁を有しかつ該グリップ本体が格納位置にあるときに上記取付座の一部を収容する収容部が切り欠いて形成されているものとする。また、上記一対の取付座のうちの少なくとも一方には、グリップ本体の長さ方向に延びる有底円形状の凹部を有する支持部を一体に形成し、該支持部の凹部を上記収容部の２つの側壁のうちの一方の側壁側に解放し、かつ他方の側壁側を底部とするとともに、この凹部の底面から開口側に向かって延びる円柱状の嵌入軸を設け、さらに、該凹部には、上記嵌入軸が嵌入される有底の嵌入部を有するスペーサをその先端側から回動可能に挿入し、かつこのスペーサの基端側をグリップ本体の脚部に回動不能に取り付ける。
【００１０】
そして、上記スペーサの外周面と上記凹部の内周面との間の隙間から、該スペーサの先端面と凹部の底面との間の隙間を介して該スペーサの嵌入部の内周面と上記嵌入軸の外周面との間の隙間に連続し、さらにその嵌入部の底面全面と嵌入軸の先端面全面との間の隙間まで連続する隙間に亘って粘性剤を連続して充填するとともに、上記スペーサの先端面と凹部の底面との間の粘性剤の充填されている隙間を、該スペーサの嵌入部の底面と嵌入軸の先端面との間の粘性剤の充填されている隙間よりも大きく設定する構成とする。
【００１１】
上記の構成によると、グリップ本体が取付座に対し回動するときには、該グリップ本体の脚部に回動不能に取り付けられているスペーサが取付座の支持部の凹部内で嵌入軸の回りに回動する。このとき、上記取付座の凹部内周面とスペーサの外周面との間の隙間や該スペーサの嵌入部の内周面と上記嵌入軸の外周面との間の隙間等に介在している粘性剤に剪断力が発生して粘性抵抗が生じ、その結果、グリップ本体がゆっくりと回動するようになって、その動きから高級感が得られるようになる。
【００１２】
また、上記グリップ本体の脚部に取付座を組み付けるときには、両者を組み合わせるとともに取付座の支持部の凹部にスペーサを挿入するのであるが、この際、上記凹部に対してスペーサの先端側を挿入すると、これに伴い、凹部の底面から延びる嵌入軸がスペーサの先端面に開口する嵌入部に挿入されることになる。そこで、その嵌入部内に予め所要量の粘性剤を入れておけば、スペーサの凹部への挿入に伴い、該スペーサの嵌入部に侵入する嵌入軸が徐々に粘性剤を上記嵌入部開口側へ押し出すことになり、この粘性剤がスペーサの嵌入部から該スペーサの先端面と凹部の底面との間の隙間を介して、スペーサの外周面と凹部の内周面との間の隙間に至り、この隙間内を凹部の底面から開口部に向かって移動して、凹部内の空気を排出することになる。
【００１３】
そして、上記の構成では、上記スペーサの先端面と凹部の底面との間の隙間が該スペーサの嵌入部の底面と嵌入軸の先端面との間の隙間よりも大きいので、上述の如くスペーサを凹部の奥まで挿入したときに、嵌入軸の先端面がスペーサの嵌入部の底面に当接可能となり、このことで、嵌入部内の粘性剤を効果的に押し出して、凹部内の空気を凹部開口側からより確実に排出させることができる。よって、凹部内の空気の残存を十分に抑制して、つまり空気溜まり（空気層）をなくすことにより、粘性剤による粘性抵抗を安定的に確保し、アシストグリップの使用感の悪化等を防止することができる。
【００１４】
【発明の実施の形態】
図１〜図５は、本発明の実施形態に係る回動型の格納式アシストグリップＧを示し、このアシストグリップＧは、主としてグリップ本体１と一対の取付座６，７とからなるものである。上記グリップ本体１は例えばＰＰ（ポリプロピレン）等からなる長尺状のもので、図１に示すように、本体部の長さ方向両端部が湾曲されて略コ字状をなし、その長さ方向の両端部である左右両端部がそれぞれ脚部１ａ，１ｂとされていて、この左右の両脚部１ａ，１ｂにて例えば車体パネルＰに固定された取付座６，７に対し回動可能に軸支されている。この車体パネルＰは、図例では車両における車室内の上下方向の側壁をなすものであり、上記のような各脚部１ａ，１ｂでの軸支構造によりグリップ本体１が使用位置及び格納位置の間で回動して、図２に示すように格納位置にあるときにはグリップ本体１は車体パネルＰに沿った状態となる一方、図１、３に示すように使用位置にあるときには、グリップ本体１はその中間部が車室内方に突出して水平面からやや斜め下方に向いた状態となる。
【００１５】
そして、上記図２に示すようにグリップ本体１が格納位置にあるときに、その各脚部１ａ，１ｂの外面（車体パネルＰに対向する面）には、それぞれ、グリップ本体１の脚部１ａ，１ｂの先端面、即ち同図の下端面から図の上側に向かって略矩形状に切り欠いてなる切欠部が形成されており、この各切欠部がそれぞれグリップ本体１の格納状態で取付座６，７の一部分を収容する収容部２，２となる。また、詳しくは後述するが、グリップ本体１の一方の脚部１ａ（図１において左側の脚部）と一方の取付座６との間には、グリップ本体の回動に粘性抵抗を付与する粘性ダンパ１６が一体的に設けられ、一方、他方の脚部１ｂ（図１において右側の脚部）と他方の取付座７との間には、グリップ本体１を格納位置に向かうように回動付勢する捩りコイルばね１７（付勢手段）が配設されている。
【００１６】
すなわち、図４及び図５に示すグリップ本体１の脚部１ａにおいて、収容部２の左右方向（グリップ本体１の長さ方向）に対向する２つの側壁のうち、グリップ本体１の左右中央に近い側に位置する内側側壁（図１で右側のもの）は軸受部３として形成され、この軸受部３の内側（収容部２側）面には有底の円形穴からなる軸受穴４が形成されている。一方、グリップ本体１の左右中央から遠い側に位置する外側側壁（図１で左側のもの）には、該側壁をその厚み方向（図の左右方向）に貫通するようにスペーサ装着孔５が形成されている。このスペーサ装着孔５は、その断面形状がグリップ本体１の脚部１ａの先端側（グリップ本体１の使用位置における車体パネルＰ側）において半円形状とされ、また、その反対側においては矩形状とされていて、その半円形状の中心位置が上記軸受穴４の中心線（軸線Ｘ）に一致するように形成されている。
【００１７】
そして、上記一方の脚部１ａの収容部２には、上記取付座６の一部が配置収容されている。この取付座６は、例えばＰＯＭ（ポリアセタール）等からなる樹脂で形成され、車室側に開口する矩形の有底箱状の固定部８を有し、この固定部８の底部にはボルト挿通孔９が貫通形成されており、図４に示すように、該ボルト挿通孔９に取付ボルトＢをそのヘッド部Ｂ１が固定部８内に位置するように挿通して、その取付ボルトＢを車体パネルＰの裏面に固定したウェルドナットＮに車体パネルＰを貫通して螺合締結することで、取付ボルトＢのヘッド部Ｂ１と車体パネルＰとの間に固定部８の底部を挟んで、取付座６を車体パネルＰに取付固定するようにしている。尚、上記固定部８の開口の端縁部には該開口を開閉する固定部８と一体成形のヒンジ式カバー１０が配設されている。
【００１８】
また、上記取付座６の車室側には固定部８の下側壁（図４における下側壁）と一体に支持部１１が形成されている。この支持部１１は全体として左右方向（グリップ本体１の長さ方向）に長い有底円筒形状をなし、その左右方向の両側面のうち、グリップ本体１の軸受部３に対向する一方の側面には該側面から突出する支軸１２が一体に形成されていて、この支軸１２の先端部が上記軸受部３の軸受穴４に回動可能に嵌挿されている。このことで、グリップ本体１は脚部１ａの軸受部３にて取付座６の支軸１２に回動可能に支持されている。
【００１９】
一方、上記取付座６の支持部１１の他方の側面には、上記支軸１２側に向かって内径が次第に小さくなるテーパ穴からなる凹部１３が上記支軸１２と同心状に形成されるとともに、この凹部１３の底部１３ｂからその開口側に向かって、上記支軸１２と同心状に延びる先細りテーパ形状の嵌入軸１４が設けられている。換言すれば、上記凹部１３は上記収容部２の２つの側壁のうちのいずれか一方の側壁側（上記他方の側壁側）に解放されている。また、脚部１ａのスペーサ装着孔５には略有底筒形状のスペーサ１８が回動不能に取付固定されていて、そのスペーサ１８の先端部が上記取付座６の凹部１３内に回動可能に挿入されている。すなわち、上記図５や図６にもに示すように、スペーサ１８の先端部は、先細りテーパ形状の挿入部１９と、この挿入部１９の基端側に段差状に連続する相対的に大径の大径部２０とからなり、挿入部１９は取付座６の凹部１３内に挿入されて、その挿入状態で挿入部１９外周面と凹部１３内周面との間に略一定の隙間が形成されるようになっている。
【００２０】
また、上記大径部２０は取付座６の凹部１３の開口部１３ａに液密状に嵌合可能とされており、この大径部２０により凹部１３の開口部１３ａを相対回転可能に閉じて、上記挿入部１９外周面と凹部１３内周面との間の隙間、及び後述する嵌入部２９内周面と取付座６の嵌入軸１４外周面との間の隙間を密封するようになっている。そして、上記スペーサ１８の大径部２０と凹部１３の開口部１３ａとの間にはＯリング２１が介在され、後述する粘性剤Ｌの流出を防止している。
【００２１】
上記スペーサ１８の基端部２２は、その断面が上記グリップ本体１の脚部１ａにおけるスペーサ装着孔５と略同じ形状（脚部１ａの先端側の部分が半円形状で、その反対側の部分が矩形状）とされ、この基端部２２がスペーサ装着孔５に内嵌合されて、脚部１ａに対するスペーサ１８の軸線回りの回動を阻止する、すなわちグリップ本体１と一体となって回動するようになっている。また、その基端部２２と挿入部１９との間を繋ぐスペーサ１８の中間部分は、各々軸線Ｘ方向に延びる４つの中間連繋部２３，２４，２５，２６（２３，２４は図５に、また２３，２５，２６は図６にそれぞれ示す）からなり、該各中間連繋部２３，２４，…の外周部には、スペーサ１８の直径方向に対向した位置に互いに対をなす抜止め用爪２７が突設されている。そして、スペーサ１８をスペーサ装着孔５に挿通したときに、上記抜止め用爪２７，２７，…が脚部１ａの収容部２の側面に係止されて、スペーサ１８のスペーサ装着孔５からの抜けを防止する。
【００２２】
さらに、上記スペーサ１８の挿入部１９の内部には、その先端面から基端側に向かって基端側が小径のテーパ状有底穴からなる嵌入部２９が形成されている。この嵌入部２９の内部には、スペーサ１８が回転可能となるように上記取付座６の嵌入軸１４が嵌入されるようになっており、この嵌入状態で、嵌入軸１４の外周面と嵌入部２９の内周面との間に隙間が形成されるとともに、該嵌入軸１４の先端面と嵌入部２９の底面２９ａとの間にも隙間が形成される。そして、それらの隙間同士が互いに連通するとともに、スペーサ１８の挿入部１９の先端面と凹部１３の底面１３ｂとの間の隙間を介して該挿入部１９の外周面と凹部１３の内周面との間の隙間にも連通していて、このように連続する４つの隙間に例えばシリコン等の高粘度（１０００００ｃｐｓ以上が望ましい）の液体からなる粘性剤Ｌが充填されている。これにより、グリップ本体１の回動に粘性抵抗を付与する粘性ダンパ１６が構成される。
【００２３】
ここで、本願発明の特徴部分として、上記図５、６に示すようにスペーサ１８先端側の挿入部１９が取付座６の凹部１３内に挿入されて、その挿入部１９内の嵌入部２９に上記取付座６の嵌入軸１４が嵌入された状態で、スペーサ１８の挿入部１９の先端面と取付座６の凹部１３の底面１３ｂとの間の隙間αは、該スペーサ１８の挿入部１９における嵌入部２９の底面２９ａと嵌入軸１４の先端面との間の隙間βよりも大きくなっている。言い換えると、上記スペーサ１８のの長さ、嵌入部２９の深さ、取付座６の凹部１３の深さ、嵌入軸１４の長さ等の寸法、及びそれら各部の相互の位置関係は、上記隙間αが隙間βよりも大きくなるように設定されており、詳しくは後述するが、このことで、取付座６へのスペーサ１８の取り付けの際、それらの隙間に空気が残存するのを阻止できるようになっている。
【００２４】
上述のような構成の取付座６に対して、図２、３に示すように、他方の取付座７も略同様の取付構造でもってグリップ本体１の脚部１ｂに取り付けられている。このため、以下の説明では、上記取付座７において取付座６と同様の構成の部分については同じ符号を付し、その詳細な説明は省略する。そして、グリップ本体１の脚部１ｂでは、図１に示すように、取付座７の支持部１１を収容する収容部２の左右両側壁（グリップ本体１の長さ方向に対向する２つの側壁）がいずれも軸受部３，３とされていて、図示省略するが、それぞれ有底状の軸受穴と貫通状の軸受孔とが互いに同心状に形成されている。
【００２５】
一方、上記右側の取付座７の車室側には、左側の取付座６と同様に有底箱状の固定部８が設けられ、図２、３に示すように、その固定部８の下側壁に略円筒状の支持部１１が一体に形成されている。その支持部１１の内部には支持軸３１がその両端部を支持部１１から突出させた状態で挿通されていて、この支持軸３１の突出した両端部は、上記グリップ本体１の脚部１ｂにおいて収容部２の左右両側の側壁（軸受部３，３）に形成した軸受穴及び軸受孔に嵌挿されており、このことで、取付座７の支持部１１に対しグリップ本体１が支持軸３１により回動可能に支持されている。
【００２６】
また、支持軸３１の長さ方向中間部の周りには捩りコイルばね１７が配置されている。この捩りコイルばね１７は、上記取付座７の支持部１１の内部に形成された断面略円形のコイル保持部３２に保持されていて、その一端部がコイル保持部３２から取付座７の固定部８に連通するスリット３３を通って該固定部８の内壁に係止され、また、捩りコイルばね１７の他端部はグリップ本体１の収容部２の下側壁に形成した溝部３４に係止されている。そして、捩りコイルばね１７の捩り力により、グリップ本体１は、常時は格納位置に位置付けられるように使用位置から格納位置に向かう方向（図２〜４で反時計回り方向）に回動付勢されている。
【００２７】
尚、上記図２〜４にそれぞれ示すように、上記グリップ本体１の各脚部１ａ，１ｂの先端側における収容部２の開口端部には、それぞれ当たり部３５が形成されており、一方、各取付座６，７の固定部８にはそれぞれ上記当たり部３５に当接可能なストッパ部３６が形成されている。そして、グリップ本体１が格納位置から使用位置に回動したときにその両方の脚部１ａ，１ｂの当たり部３５がそれぞれ取付座６のストッパ部３６に当接することで、グリップ本体１は、それ以上の回動が規制されて使用位置に停止される。
【００２８】
次に、上述の如き構成のアシストグリップＧの組み立て手順について説明すると、まず、取付座６については、その支軸１２をグリップ本体１の脚部１ａにおける軸受部３の軸受穴４に嵌挿して、支持部１１を収容部２内に収容し、次いで、グリップ本体１の脚部１ａにおけるスペーサ装着孔５にスペーサ１８をその先端側から挿通して、挿入部１９を取付座６の凹部１３に挿入し、かつ嵌入部２９に取付座７の嵌入軸１４を嵌入させる。これによりスペーサ１８の抜止め用爪２７が脚部１ａの収容部２の側面に係止して、スペーサ１８の基端側が脚部１に固定される。そして、上記スペーサ１８の組み付けの前に予め上記スペーサ１８の嵌入部２９内に必要量の粘性剤Ｌを充填しておけば、上記スペーサ１８の組み付けと同時に、嵌入部２９に侵入する嵌入軸１４によって粘性剤Ｌが押し出されて、凹部１３内の隙間に拡がって充填される。
【００２９】
より詳しくは、図７に示すように、予めスペーサ１８の嵌入部２９内に必要な分量の粘性剤Ｌを入れておき、このスペーサ１８の挿入部１９をグリップ本体１の脚部１ａのスペーサ装着孔５を通過させて、取付座６の支持部１１に開口する凹部１３に軸線Ｘに沿うようにして挿入する。このとき、該凹部１３内をその底面１３ｂから開口部１３ａ側に向かって延びる嵌入軸１４がスペーサ１８の嵌入部２９に挿入される。
【００３０】
そして、図８に示すように、スペーサ１８をその基端側までスペーサ装着孔５に嵌挿したとき、該スペーサ１８の挿入部１９は取付座６の凹部１３の奥側まで挿入され、これに伴い、該凹部１３の嵌入軸１４がスペーサ１８の嵌入部２９の奥側に挿入されて、その嵌入部２９内の粘性剤Ｌを押し出すようになる。このようにして粘性剤Ｌが嵌入部２９の内周面と嵌入軸１４の外周面との間の隙間から押し出されて、スペーサ１８の挿入部１９の先端面と凹部１３の底面１３ｂとの間の隙間に至り、さらにそこから該スペーサ１８の挿入部１９外周面と凹部１３内周面との間の隙間に押し出されて、この隙間を凹部１３の開口部１３ａに向かって移動する。
【００３１】
そうして、上記スペーサ１８の挿入部１９を取付座６の凹部１３の最深部まで挿入したときには、該スペーサ１８の先端面と凹部１３の底面１３ｂとの間の間隔αが該スペーサ１８の嵌入部２９の底面２９ａと嵌入軸１４の先端面との間の間隔βよりも大きいことから、その嵌入軸１４の先端面が嵌入部２９の底面２９ａに当接もしくは当接直前で該嵌入部２９内の粘性剤Ｌを十分に押し出し、この押し出された粘性剤Ｌが凹部１３内の空気を殆ど全て排出するようになる。
【００３２】
かくして、上記スペーサ１８の挿入部１９外周面と取付座６の凹部１３内周面との間の隙間から該スペーサ１８の先端面と凹部１３の底面１３ｂとの間の隙間を介して、該スペーサ１８の嵌入部２９内周面と嵌入軸１４外周面との間の隙間に連続し、さらにその嵌入部２９の底面２９ａと嵌入軸１４の先端面との間の隙間まで連続する隙間全体に亘って粘性剤Ｌが充填されるとともに、この隙間、即ち凹部１３内から空気が殆ど全て排出される。
【００３３】
一方、取付座７については、その支持部１１内のコイル保持部３２に捩りコイルばね１７を配置した上で、支持部１１をグリップ本体１の脚部１ｂの収容部２に収容し、捩りコイルばね１７の両端部をそれぞれグリップ本体１及び取付座７に係止させるとともに、該捩りコイルばね１７を収容部２の軸受部３，３の軸受穴及び軸受孔に対して略同心状に位置付ける。そして、この状態で、支持軸３１をその先端側から一方の軸受部３の貫通状軸受孔に挿通させて、取付座７の支持部１１とその内部の捩りコイルばね１７も挿通させ、さらに、該支持軸３１の先端部を他方の軸受部３の有底状軸受穴に嵌入させて固定すればよい。
【００３４】
そのようにしてグリップ本体１の脚部１ａ，１ｂにそれぞれ取付座６，７を組み付ければ、今度は、その取付座６，７の各固定部８を取付ボルトＢにより車体パネルＰへ取り付ける。すなわち、取付座６，７の各固定部８のカバー１０を開いて、取付ボルトＢを各固定部８の底部のボルト挿通孔９に挿通し、さらに車体パネルＰも挿通させてその裏側のウェルドナットＮに螺合締結する。その後、カバー１０を閉じて固定部８の開口を覆うようにする。
【００３５】
したがって、上述の如き構成の格納式アシストグリップＧを例えば車両に適用した場合、通常はグリップ本体１が捩りコイルばね１７の付勢力により回動付勢されて格納位置に位置付けられており、車両の乗員がアシストグリップＧを使用するときには、そのグリップ本体１を手で掴んで捩りコイルばね１７の付勢力に抗して使用位置に回動させる。その後、乗員がグリップ本体１から手を離すと、グリップ本体１は捩りコイルばね１７の付勢力により使用位置から格納位置へ回動して戻る。
【００３６】
そのようなグリップ本体１の使用位置から格納位置への回動時に（上記格納位置から使用位置への回動時にも同様のことが生じる）、グリップ本体１の脚部１ａと取付座６との間では、該脚部１ａの軸受部３が取付座６の支軸１２の回りに回動し、また、該脚部１ａに回動不能に取り付けられているスペーサ１８が取付座６の凹部１３内で取付座６側の嵌入軸１４の周りに回動する。このとき、上記取付座６の凹部１３内周面とスペーサ１８の挿入部１９外周面との間の隙間において粘性剤Ｌに剪断変形が生じるとともに、スペーサ１８の嵌入部２９内周面と取付座６の嵌入軸１４外周面との間の隙間において粘性剤Ｌに剪断力が発生し、上記スペーサ１８を介してグリップ本体１の回動に粘性抵抗が付与される。
【００３７】
つまり、上記グリップ本体１の脚部１ａと取付座６との間には、該取付座６とグリップ本体１側のスペーサ１８とにより一体的に粘性ダンパ１６が構成されており、このダンパ１６における粘性剤Ｌの粘性によりグリップ本体１が使用位置から格納位置へゆっくりと戻るようになって、その動きから高級感が得られるとともに、グリップ本体１が車体側の部材に強く衝突して異音を発生したり、耐久性の低下を招くことがなくなる。
【００３８】
しかも、上記の粘性ダンパ１６において、スペーサ１８の挿入部１９の先端面と取付座６の凹部１３の底面１３ｂとの間の隙間αが、該スペーサ１８の嵌入部２９の底面２９ａと取付座６の嵌入軸１４の先端面との間の隙間βよりも大きく設定されているので、スペーサ１８の組み付け時にその嵌入部２９の最深部まで凹部１３の嵌入軸１４を挿入させて、嵌入部２９に予め入れておいた粘性剤Ｌを効果的に押し出させ、この粘性剤Ｌをダンパ１６内の隙間に行き渡らせて充填しながら、空気をより確実に排出させることができる。これにより、上記ダンパ１６の隙間に空気が残存することがなく、粘性剤Ｌによる粘性抵抗を安定的に確保することができ、もってアシストグリップＧの使用感の悪化等を防止することができる。
【００３９】
また、この実施形態では、上述したように、上記グリップ本体１の脚部１ａに組み付けられる取付座６と、グリップ本体１側のスペーサ１８とによって一体的に粘性ダンパ１６を構成するようにしているので、グリップ本体１と取付座６との間に別途、専用のオイルダンパ等を追加する場合に比べてコンパクトかつ低コストのものとなる。
【００４０】
尚、上記実施形態のアシストグリップＧでは、グリップ本体１の一方の脚部１ａに粘性ダンパ１６を設け、他方の脚部１ｂに捩りコイルばね１７を配設するようにしているが、これに限るものではなく、例えば両方の脚部１ａ，１ｂにそれぞれ粘性ダンパ１６と捩りコイルばね１７とを併設するようにしてもよい。
【００４１】
また、上記実施形態では、グリップ本体１の一方の脚部１ａと取付座６との取付構造として、取付座６の支持部１に一体に形成した支軸１２を脚部１ａの軸受部３の軸受穴４に回動可能に嵌挿させているが、この構造に限るものではない。すなわち、例えば、上記脚部１ａの軸受部３に軸受穴４の代わりに貫通状の軸受孔を設けるとともに、取付座１１の支持部には支軸１２の代わりに有底状の軸孔を設けて、別途、用意した支持軸を上記貫通状軸受孔に挿通させ、その端部を上記有底状軸孔に嵌入させて固定するようにしてもよい。
【００４２】
また、上記実施形態では、スペーサ１８の基端側を上記脚部１ａ側壁のスペーサ装着孔５に貫通させるとともに、該スペーサ１８先端側の層入部１９を取付座６の凹部１３に挿入して、このスペーサ１８によって脚部１ａと取付座６とを回動可能に連結するようにしているが、この構造に限るものではない。すなわち、例えば上記従来例（特開２００１−７１８０４号公報）のもののように、スペーサ（蓋部材）の基端部をグリップ本体１の脚部１ａに設けた凹部に回転不能に嵌合させるようにしてもよい。
【００４３】
また、上記実施形態では、取付座６，７をそれぞれボルトＢによって車体パネルＰに取り付けるようにしているが、これに限るものではなく、ボルトＢに代えて、例えば取付座６，７の裏面に爪部を有する係止片を一体に形成し、この係止片を車体パネルＰに開口形成した係止口に挿入して、該係止口の周縁裏面に上記爪部を係止させることにより、取付座６，７をそれぞれ車体パネルＰに取り付けるようにしてもよい。
【００４４】
さらに、この発明に係る格納式アシストグリップは前記実施形態のように車両用のものに限定されるものでないことは勿論である。
【００４５】
【発明の効果】
以上、説明したように、本願発明に係る格納式アシストグリップによると、グリップ本体と取付座との間に一体的に粘性ダンパを設ける場合に、該ダンパを構成するスペーサ、その嵌入部、取付座の支持部の凹部、該凹部内の嵌入軸等の各部の寸法やそれらの相互の位置関係を最適化し、スペーサの先端側が取付座の凹部内に挿入されて該スペーサの嵌入部に嵌入軸が嵌入された状態で、該スペーサの先端面と凹部の底面との間の隙間が該スペーサの嵌入部の底面と上記嵌入軸の先端面との間の隙間よりも大きくなるようにしたので、上記スペーサを取付座の凹部に組み付けて粘性ダンパを構成するときに凹部内から空気を排出させて、上記隙間内に空気が残存することを防止することができ、これにより、粘性剤による粘性抵抗を安定的に確保して、アシストグリップの使用感の悪化等を防止することができる。
【図面の簡単な説明】
【図１】  本発明の実施形態に係る格納式アシストグリップを示す斜視図である。
【図２】  グリップ本体が格納位置にあるときの図１のII−II線断面図である。
【図３】  グリップ本体が使用位置にあるときの図１のIII-III線断面図である。
【図４】  粘性ダンパの構成を示す図１のIV−IV線断面図である。
【図５】  粘性ダンパの構成を示す図１のV−V線断面図である。
【図６】  粘性ダンパの構成を示す図５のVI−VI線断面図である。
【図７】  スペーサの取付座への組み付けを開始したときの図６相当の説明図である。
【図８】  スペーサの取付座への組み付けを終える直前の図７相当図である。
【符号の説明】
Ｐ          車体パネル（固定体）
Ｇ          アシストグリップ
１          グリップ本体
２          収容部
３          軸受部（側壁）
４          軸受穴
６，７      取付座
１１        支持部
１２        支軸
１３        凹部
１４        嵌入軸
１６        粘性ダンパ
１７        捩りコイルばね
１８        スペーサ
１９        スペーサの挿入部
２２        スペーサの基端部
２９        スペーサの嵌入部
【図１】
0003776031.tif 000002
【図２】
0003776031.tif 000003
【図３】
0003776031.tif 000004
【図４】
0003776031.tif 000005
【図５】
0003776031.tif 000006
【図６】
0003776031.tif 000007
【図７】
0003776031.tif 000008
【図８】
0003776031.tif 000009